(57)【特許請求の範囲】
【請求項１】
空調空気を給送する空調系ダクトの流路中に設けたモータを駆動源とする首振り機構を内蔵した首振り駆動部と、この首振り駆動部を介して連結された空調空気を分岐給送する屈曲部を有する通風筒と、この通風筒の吹出し開口に伏仰角度の回動自在な通風路に形成された吹出口支持筒と、吹出口とで構成され、
吹出口は球状継手とノズル状の吹出口で構成され、かつ、吹出口支持筒の吹出し開口に球状接手に嵌装され、
吹出口支持筒を任意の伏仰角度に回動し、かつ、球状継手により吹出口の角度を変更することにより、垂下方向に吹出口を変位することができる空調用吹出口。
【請求項２】
空調空気を給送する空調系ダクトの流路中に設けたモータを駆動源とする首振り機構を内蔵した首振り駆動部と、この首振り駆動部を介して連結された空調空気を分岐給送する屈曲部を有する通風筒と、この通風筒の吹出し開口に伏仰角度の回動自在な通風路に形成された吹出口支持筒と、吹出口とで構成され、吹出口は球状継手とノズル状の吹出口で構成され、かつ、吹出口支持筒の吹出し開口に球状接手に嵌装され、通風筒の吹出し開口と吹出口支持筒との間に接続され、伏仰角度に回動し伸縮自在な通風路に形成された可撓性を有する通風ジャバラと、この通風ジャバラを縮長した格納時に通風筒と吹出口支持筒とを係止する係止部材をそれぞれに設けて構成され、係止部材の係止を離脱することにより通風ジャバラを伏仰角度の姿勢に変位させることができる空調用吹出口。
【請求項３】
空調空気を給送する空調系ダクトの流路中に設けたモータを駆動源とする首振り機構を内蔵した首振り駆動部と、この首振り駆動部を介して連結された空調空気を分岐給送する屈曲部を有する通風筒と、この通風筒の吹出し開口に伏仰角度の回動自在な通風路に形成された吹出口支持筒と、吹出口とで構成され、吹出口は球状継手とノズル状の吹出口で構成され、かつ、吹出口支持筒の吹出し開口に球状接手に嵌装され、通風筒の吹出し開口と吹出口支持筒との間に接続され、伏仰角度に回動し伸縮自在な通風路に形成された可撓性を有する通風ジャバラと、通風筒と吹出口支持筒との間に、モータで駆動されるリンクを結合して構成され、モータの駆動により、リンクの開脚角度を任意に変えて通風ジャバラを伏仰角度に伸縮自在に姿勢制御することができる空調用吹出口。
【請求項４】
空調空気を給送する空調系ダクトの流路中に設けたモータを駆動源とする首振り機構を内蔵した首振り駆動部と、この首振り駆動部を介して連結された空調空気を分岐給送する屈曲部を有する通風筒と、この通風筒の吹出し開口に伏仰角度の回動自在な通風路に形成された吹出口支持筒と、吹出口とで構成され、吹出口は球状継手とノズル状の吹出口で構成され、かつ、吹出口支持筒の吹出し開口に球状接手に嵌装され、通風筒の吹出し開口と吹出口支持筒との間に接続され、伏仰角度に回動し伸縮自在な通風路に形成された可撓性を有する通風ジャバラと、通風筒と吹出口支持筒との間に、モータで駆動されるリンクを結合し、空調空気の温度を検知する温度センサーと、温度センサーの信号により、リンクの開脚度を変更するモータに駆動用電気的信号を伝える制御部とで構成され、暖房空調時には通風ジャバラを伏仰角度の姿勢に自動的に変位させ、空気の吹出し方向を下方向に制御することができる空調用吹出口。
【発明の詳細な説明】
【０００１】
【発明の属する技術分野】
本発明は、空調系ダクトより分岐して使用される空調用吹出口に関する。
【０００２】
【従来の技術】
従来、この種の空調用吹出口は、図５に示すものが知られている。以下この図を参照しながら説明する。モータ１０１を駆動源とした首振り機構を内蔵した首振り駆動部１０２が空調系ダクト１０３の流路中に配設され、この首振り駆動部１０２を介して連結された首振り揺動する通気筒１０４と、球状接手１０５を形成した吹出口１０６と、この球状接手１０５を嵌装した吹出口支持筒１０７を、通気筒１０４の吹出側に備えたものであり、モータ１０１に通電することにより首振り機構を駆動して通気筒１０４に首振り揺動を伝達するものである。
【０００３】
また、空調系ダクトの空調空気を吹出口１０６の球状接手１０５の可動範囲において、任意の位置に人の手の操作によって設定できるようにしたものである。
【０００４】
【発明が解決しようとする課題】
このような従来の空調用吹出口では、吹出口１０６の可変角度θの大きさは、球状接手１０５の球径Ａに対する吹出口径Ｂとの割合いＢ／Ａで決定づけられ、多数の人がいる所へできる限り広範囲に垂下方向へも空調された空気を供給して欲しいという要望を満足するためには、吹出口径Ｂは必然的に小さくなることとなり、その結果として球径Ａから吹出口径Ｂへ急激な断面積の変化を招き、この部分を通過する空調空気の通風抵抗を増大するという課題があり、通風抵抗を増大させることなく垂下方向に向かって広範囲に空調空気を吹き出し得る空調用吹出口が要求されている。
【０００５】
また、特に暖房空調時は、吹出口を下方向に向け暖かい空気を下方向へ吹き出し効率的に空調を行い、快適性を良くする必要がある。
【０００６】
本発明は、このような従来の課題を解決するものであり吹出口１０６の吹出口径Ｂを変えずに、吹出口１０６を垂下方向に変位させることのできる空調用吹出口を提供することを目的としている。
【０００７】
【課題を解決するための手段】
本発明の空調用吹出口は上記目的を達成するために、球状接手で吹出口を嵌装した吹出口支持筒に、伏仰角度の回動をする回動軸を備え、通気筒の下流側開口部に回動支持される構成にしたものである。
【０００８】
本発明によれば、吹出口支持筒に回動軸を備えることにより、外力を加えると容易に角度が変えられることが可能となり、垂下方向に吹出口支持筒を任意角度に変位させることができる。また吹出口支持筒に角度位置の調整を分担させることが、吹出口の吹出口径Ｂの径小に伴う通風抵抗の増大という従来の課題を解消する空調用吹出口が得られる。
【０００９】
また他の手段は、通風筒の吹出し開口と吹出口支持筒との間に接続され、伏仰角度に回動し伸縮自在な通風路に形成された可撓性を有する通風ジャバラと、この通風ジャバラを縮長した格納時に通風筒と吹出口支持筒とを係止する係止部材をそれぞれに設けて構成したものである。
【００１０】
そして本発明によれば、係止部材の係止を離脱することにより通風ジャバラを伏仰角度の姿勢に変位させることができる空調用吹出口が得られる。
【００１１】
また他の手段は、通風筒と吹出口支持筒との間に、モータで駆動されるリンクを結合して構成したものである。
【００１２】
そして本発明によれば、モータの駆動により、リンクの開脚角度を任意に変えて通風ジャバラを伏仰角度に伸縮自在に姿勢制御することができる空調用吹出口が得られる。
【００１３】
また他の手段は、空調空気の温度を検知する温度センサーと、温度センサーの信号により、リンクの開脚度を変更するモータに駆動用電気的信号を伝える制御部とで構成したものである。
【００１４】
そして本発明によれば、暖房空調時には通風ジャバラを伏仰角度の姿勢に自動的に変位させ、空気の吹出し方向を下方向に制御することができる空調用吹出口が得られる。
【００１５】
【発明の実施の形態】
本発明は、空調空気を給送する空調系ダクトの流路中に設けたモータを駆動源とする首振り機構を内蔵した首振り駆動部と、この首振り駆動部を介して連結された空調空気を分岐給送する屈曲部を有する通風筒と、この通風筒の吹出し開口に伏仰角度の回動自在な通風路に形成された吹出口支持筒と、、吹出口とで構成され、吹出口は球状継手とノズル状の吹出口で構成され、かつ、吹出口支持筒の吹出し開口に球状接手に嵌装され、吹出口支持筒を任意の伏仰角度に回動し、かつ、球状継手により吹出口の角度を変更することにより、垂下方向まで吹出口を変位することができる。
【００１６】
また、通風筒の吹出し開口と吹出口支持筒との間に接続され、伏仰角度に回動し伸縮自在な通風路に形成された可撓性を有する通風ジャバラと、この通風ジャバラを縮長した格納時に通風筒と吹出口支持筒とを係止する係止部材をそれぞれに設けて構成したものであり、係止部材の係止を離脱させることにより、通風ジャバラを垂下方向まで伏仰角度を変位することができる。
【００１７】
また、通風筒と吹出口支持筒との間に、モータで駆動されるリンクを結合した構成であり、モータの駆動によってリンクの開脚角度が変えられ通風ジャバラを伸縮自在な伏仰角度に制御することができる。
【００１８】
また、空調空気の温度を検知する温度センサーと、温度センサーの信号により、リンクの開脚度を変更するモータに駆動用電気的信号を伝える制御部とで構成したものであり、暖房空調時には通風ジャバラを伏仰角度の姿勢に自動的に変位させ、空気の吹出し方向を下方向に制御することができる。
以下、本発明の実施例について図面を参照しながら説明する。
【００１９】
【実施例】
（実施例１）
図１に示すように、空調空気を給送する空調系ダクト１の流路中に設けたモータ２を駆動源とする首振り機構を内蔵した首振り駆動部３と、この首振り駆動部３を介して連結された空調空気を分岐給送する通風筒４と、この通風筒４の吹出し開口に伏仰角度の回動軸５を設けて回動自在な通風路に形成された吹出口支持筒６と、この吹出口支持筒６の吹出し開口に球状接手７に形成して嵌装された吹出口８とで構成し、冷房時には冷気が、又暖房時には暖気が、空調機を源とし空調系ダクト１を通じて給送され、通風筒４を通り吹出口支持筒６及び球状接手７を介し、モータ２による首振り駆動部３の首振り揺動を得た吹出口８より高所から多数の人がいる所へ広範囲に空調された空気を供給するものである。また吹出口支持筒６に外力を加えることにより、吹出口支持筒６は回動軸５を支点にその通風方向を任意の垂下角度の姿勢に変位させるものである。
【００２０】
（実施例２）
図２において通風ジャバラ９は可撓性を有しており、伏仰角度の回動軸５を設けて回動伸縮自在な通風路に形成されている。この通風ジャバラ９は通風筒４の吹出口側開口と吹出口支持筒６との間に接続され、かつ縮長した格納時に通風筒４と吹出口支持筒６とを互いに係止する係合部材１０をそれぞれに設けた構成にしたものであり、係合部材１０の係止を離脱することにより、通風ジャバラの通風方向を垂下角度の姿勢に変位させるものである。また、通風ジャバラ９の可撓性手段として帆布または断熱処理を施した合成樹脂繊維布などが使用できる。
【００２１】
（実施例３）
図３において通風ジャバラ９は、その通風路の方向が伏仰角度で変位される回動軸５を設けるとともに、通風筒４と吹出口支持筒６との間に設けられた伏仰角度の変位に対応するリンク１１と、このリンク１１の開脚角度を変えるモータ１２とを備えモータ１２の駆動により、リンク１１の開脚角度が変わり、これに連動して通風ジャバラ９は回動軸５を支点に通風方向を垂下角度の姿勢に変位させるものである。
【００２２】
（実施例４）
図４において空調空気の温度を検知する温度センサー１３と、温度センサー１３の信号により、リンク１１の開脚度を変更するモータ１２に駆動用電気的信号を伝える制御部１４とで構成したものであり、暖房空調時には通風ジャバラ９を伏仰角度の姿勢に自動的に変位させ、空気の吹出し方向を下方向に制御させるものである。
【００２３】
【発明の効果】
以上の実施例から明らかなように本発明によれば、吹出口支持筒に伏仰角度の姿勢に変位させる回動軸を備えたことにより、従来例のような吹出口の吹出口径Ｂを径小に形成して通風抵抗を増大させることなく広範囲の伏仰角度に吹出口支持筒を変位させることができる。
【００２４】
また通風筒と吹出口支持筒との間に連結され伏仰角度の姿勢に変位させる回動軸を設けた可撓性を有する通風ジャバラと通風筒と吹出口支持筒を係止する係止部材により、吹出口を容易に伏仰角度の姿勢に変位させることができ、その据付けに際して、保守・点検性を確保しやすく、また保守・点検の作業も容易に行うことができる。
【００２５】
また可撓性を有する通風ジャバラの回動軸を支点に、伏仰角度の変位に対応して開脚角度を変えるリンクと、これを駆動するモータを備えたことにより、モータへの電源供給を遠隔操作によって任意の伏仰角度に通風ジャバラを姿勢制御することができる。
【００２６】
また、空調空気の温度を検知する温度センサーと、温度センサーの信号により、リンクの開脚度を変更するモータに駆動用電気的信号を伝える制御部とで構成したことにより、暖房空調時には通風ジャバラを伏仰角度の姿勢に自動的に変位させ、空気の吹出し方向を下方向に制御することができ、暖かい空気を効率的に人がいる所へ供給でき快適性を良くすることができる。
【図面の簡単な説明】
【図１】本発明の実施例１の空調用吹出口の断面図
【図２】本発明の実施例２の空調用吹出口の断面図
【図３】本発明の実施例３の空調用吹出口の断面図
【図４】本発明の実施例４の空調用吹出口の断面図
【図５】従来の空調用吹出口の断面図
【符号の説明】
１    空調系ダクト
２    モータ
３    首振り駆動部
４    通風筒
５    回動軸
６    吹出口支持筒
７    球状接手
８    吹出口
９    通風ジャバラ
１０  係合部材
１１  リンク
１２  モータ
１３  温度センサー
１４  制御部
【図１】
0003923170.tif 000002
【図２】
0003923170.tif 000003
【図３】
0003923170.tif 000004
【図４】
0003923170.tif 000005
【図５】
0003923170.tif 000006